(57)【要約】      （修正有）【課題】顎紐などを使用せずにファション性にもすぐれ簡単に帽子を頭に装着出来る帽子の留め具を提供する。【解決手段】帽子の左右位置に略Ｃ形状湾曲の弾力性ある留め具ｄを帽子の前側部左右に孔ｃを設け、留め具を通し耳辺りに安定、固定させる。または、メガネをかける要領で、耳上部に架ける。留め具は、弾力性があるので着帽、脱帽しやすくなる。留め具は、圧迫感、違和感のないよう両端先部は種々の形にすることで、装着状態を安定させて、髪形の崩れが無ないように浮かせて装着調節が出来る。通気性もよくなる。夏の暑い日に汗を掻いても、ゴム紐、アゴ紐が無く、自転車に乗って走っても風に飛ばされないアゴの下はスッキリする。【選択図】図１
2010174383.tif 000002
【特許請求の範囲】
【請求項１】
帽子を頭部に固定するための留め具であって、前頭部の左右に亘って、略Ｃ形状の湾曲に形成されて、弾力性を有する固定バ一にて形成され、前部固定バ一には帽子が装着し得るように構成したことを特徴とする留め具。
【請求項２】
前記弾力性留め具は、帽子中央部分より帽子の外側に固定し、両端先部の左右に設けた孔に通し、両端先部が帽子を装着したとき、両耳辺りに位置するよう構成したことを請求項１記載した帽子。
【請求項３】
前記弾力性留め具は、中央部分を帽子の内側に補助のカバ一にて固定し、両端先部は帽子から遊離して、両耳辺りに位置させたことを特徴とする帽子。
【請求項４】
前記弾力性留め具の両端先部は、耳にかけるように掛け部を設けたことを特徴とする請求項３記載した帽子。
【請求項５】
固定バ一はプラスチック若しくは、金属等にて形成される留め具。
【発明の詳細な説明】
【技術分野】
【０００１】
本発明は、アゴ紐がなくても落ちない、飛ばされない帽子に関する。
【背景技術】
【０００２】
風によって飛ばされない、下を見ても落ちない帽子は、従来からリボン、紐、ゴム等を使ってアゴ下に掛けて安定する方法が使用されている。
【０００３】
着用する帽子の内周に汗取りリボン,環状、紐を取り付けたものである。
(例えば、特許公開公報１参照))
【特許文献１】特開２００３−３３１５号公報
【発明の開示】
【発明が解決しようとする課題】
【０００４】
帽子を装着する際、リボンのような紐とか、ゴム紐をあご下にかけて留める方法だが、夏の暑い日には、いつも紐がアゴ辺りに触れているため、掻いた汗によって紐が当たっている部分が何となくスッキリしない。
また、帽子はアゴ下位置にゴム、リボン、紐等で結ぶ方法により、安定、固定するが、帽子は常に頭に押し付けられた状態で装着されていることから、髪形は帽子に押しつぶされ崩れる。外出先での帽子の脱帽することの必要な場合は、装着することに思案することになる。自転車に乗り走っても風に飛ばされない。
【課題を解決するための手段】
【０００５】
装着した帽子が落下しない、自転車に乗って走っても風に飛ばされない。また、髪形が崩れないようにするためには、帽子の頭前部より左右位置に孔を造り、その左右の孔に留め具を通して、耳辺りの位置で両端先部が固定されて留める方法。
または、、耳上部に両端先部留め具が安定し、固定する方法。
この留め具は、夏の暑い日に汗を掻いても、アゴ下に結ぶリボン、ゴム紐に触れることもなくスッキリする。
弾力性のある留め具で支えて固定するが、極普通の装着法ではなく、髪型の崩れを考慮するには、帽子は浮いた状態で両端先部を調節して装着し、安定、固定することで、頭の頭部分と帽子の頭部分との間に差ができ、髪形が崩れないように保つことが出来る帽子。
留め具の両端先部を耳辺りに安定、固定するが、圧迫感、違和感を無くするように、両端先部を平状な形にする事もできる留め具付帽子。
帽子の前頭部より左右の孔までの帽子の外側に現れている留め具には、簡単に取り付け、取り外ずしができ、種々のアクセサリ一使用ができ、おしゃれな留め具付き帽子になる。  
【発明の効果】
【０００６】
帽子の前頭部位置から、左右の孔より留め具を耳辺り安定し固定する方法、また耳部にかけて装着し、帽子が下を向いても落下しない、風が吹いても飛ばない帽子。
【０００７】
留め具を耳部辺りで固定する方法。  
または、留め具は耳の上部にメガネをかける要領で安定させることで、夏の暑い日には、汗を掻いてもアゴ紐用リボン、ゴム紐などが触れることなくスッキリ快適である。
【０００８】
帽子を深く装着しないように、留め具の両端先部で固定調節ができることから、頭部分には余裕があり、髪形が崩れず、外出先での脱帽することにも気ずかいなく装着ができる。
浮かせて装着することは、通気性もよくなる。
アクセサリ一などで、個性感も楽しめる。
【発明を実施するための最良の形態】
【０００９】
以下、本発明の実施の形態を図１〜図６に基づいて説明する。
【００１０】
図１においては、帽子に、その帽子外側の左右に亘って、弾力性留め具を取り付け、その留め具は孔ｃを通り帽子の内側に入り、孔ｃ位置から遊離して、耳辺りで固定している状態の図である。
【００１１】
図２においては、図１に記載したことに、固定し留め具両端先部を耳に掛けている図である。
【００１２】
図３においては、帽子に、その帽子内側の左右に亘って、補助布ｅ を孔ｃまでの位置に施し、帽子とその間に留め具を通し、孔ｃから遊離して、耳辺りに固定している図である。
【００１３】
図４においては、図３に記載したことに、留め具両端先部を耳に掛けている図である。
【００１４】
図５においては、図１に記載の外側に現れている留め具の位置に取り外しも可能なアクセサリ一を取り付けた場合を現している図である。
【００１５】
図６においては、図２に記載の外側に現れている留め具の位置に取り外しも可能な図５とは異なるアクセサリ一を取り付けた場合を現している図である。
【００１６】
本願は、留め具ａを、帽子の前頭部から左右に、弾力、湾曲形状の略ｃ形に造って施し、下を見ても落ちない、風が吹いても飛ばされない。
また、夏の暑い日にも、汗を掻いてもリボン状紐、ゴム紐等が顔からアゴ下に触れることなくスッキリする。
帽子の形は、傘型と三角型、多種な帽子を留め具で支えることができることから、深めに着用しなくてもよく、髪形の崩れる心配がいらない。
留め具には、個性的に、アクセサリ一を付け変えて楽しめる。
【図面の簡単な説明】
【００１７】
【図１】留め具aは、孔ｃに通し帽子内側に入って耳辺りｄに固定する図。
【図２】留め具ａは、孔ｃに通し帽子内側に入って耳上部にかけてｄに固定する図。
【図３】留め具ｂ全体を帽子内側に補助布e内に通し、孔ｃから遊離して、耳辺りに両端先部を平状形ｇの留め具で固定する図。
【図４】留め具 ｂ全体を帽子内側に施し、耳上部にかけて固定する図。
【図５】図１の留め具ａの部分にアクセサリ一ｆを取り外しできるが、取り付けた場合の図。
【図６】図２の留め具ｂの部分に図5と異なるアクセサリ一ｆを取り外しできるが、取り付けた場合の図。
【符号の説明】
【００１８】
ａ  留め具
ｂ  帽子内側での留め具の状態
ｃ  孔
ｄ  遊離する留め具
ｅ  補助布
ｆ  アクセサリ一の種々
【図１】
2010174383.tif 000003
【図２】
2010174383.tif 000004
【図３】
2010174383.tif 000005
【図４】
2010174383.tif 000006
【図５】
2010174383.tif 000007
【図６】
2010174383.tif 000008
【手続補正書】
【提出日】平成21年1月24日(2009.1.24)
【手続補正１】
【補正対象書類名】特許請求の範囲
【補正対象項目名】全文
【補正方法】変更
【補正の内容】
【特許請求の範囲】
【請求項１】
帽子を頭部に固定するための留め具であって、前頭部の左右に亘って、略Ｃ形状の湾曲に形成し、弾力性を有する固定バ一に形成されて、前部固定バ一は帽子が装着し得るように構成されていることを特徴とする留め具。
【請求項２】
固定バ一の両端部は人間の耳の前方若しくは後方に位置する長さに形成されている請求項１記載の留め具。
【請求項３】
固定バ一は金属若しくはプラスチックにて形成する請求項１若しくは請求項２記載の留め具。
【請求項４】
帽子本体を頭部に固定するため、留め具が装着されている帽子であって、前記留め具は前頭部に沿って湾曲に形成された弾力性を有する固定バ一にて形成されていることを特徴とする帽子。
【請求項５】
固定バ一の両端部は、耳の前方若しくは後方に位置する長さに形成されている請求項４記載の帽子。
【請求項６】
固定バ一は帽子本体に着脱可能に装着されている請求項４若しくは請求項５に記載の帽子。
【請求項７】
固定バ一の前頭部に対する部分のみが帽子本体の外部に遊離している請求項４、請求項５、請求項６いずれに記載の帽子。
【請求項８】
固定バ一の側頭部に対する部分のみが帽子本体の外部に遊離している請求項４、請求項５，請求項６いずれに記載の帽子。
【手続補正２】
【補正対象書類名】明細書
【補正対象項目名】全文
【補正方法】変更
【補正の内容】
【発明の詳細な説明】
【技術分野】
【０００１】  本発明はアゴ紐がなくても落ちない、飛ばされない帽子に関する。
【背景技術】
【０００２】  風によって飛ばされない、下を見ても落ちない帽子は、従来からリボン、紐、ゴム紐を使ってアゴ下に掛けて安定する方法がしようされている。【０００３】  着用する帽子の内周に汗取りリボン、環状、紐を取り付けたものである。
（例えば、特許公開広報１参照）
【発明の開示】
【発明が解決しようとする課題】
【０００４】  帽子を装着する際、リボンのような紐とか、ゴム紐をアゴ下にかけて留める方法だが、夏の暑い日には、いつも紐がアゴ下辺りに触れているため、掻いた汗によって紐が当たっている部分が何となくスッキリしない。
また、帽子はアゴ下位置にゴム、リボン、紐等で結ぶ方法により、安定、固定するが、帽子は常に頭に押し付けられた状謡で装着されているこことが、髪形は帽子に押しつぶされ崩れる。外出先での帽子の脱帽することが必要な場合は、装着することに思案することになる。自転車に乗って走っても風に飛ばされない。【０００５】  装着した帽子が落下しない、自転車に乗って走っても風に飛ばされない。また、髪形が崩れないようにするためには、帽子の頭前部より左右位置に孔を造り、その左右の孔に留め具を通して、耳辺りの位置で両端先部が固定されて留める方法。
または、耳上部に両端先部留め具が安定し、固定する方法。
この留め具は、夏の暑い日に汗を掻いても、アゴ下に結ぶリボン、ゴム紐に触れることもなくスッキリする。
弾力性のある留め具で支えて固定するが、極普通の装着法ではなく、髪形の崩れを考慮するには、帽子は浮いた状態で両端先部を調節して装着し、安定、固定することで、頭の頭部分と帽子の頭部分との間に差ができ、髪形が崩れないように保つことができる帽子。
留め具の両端先部を耳辺りに安定、固定するが、圧迫感、違和感を無くするように、両端先部を平状な形にすることもできる留め具付帽子。
帽子の前頭部より左右の孔までの帽子の外側に現れている留め具には、簡単に取り付け、取り外しができ，種々のアクセサリ一使用ができ、おしゃれな留め具付き帽子になる。
【発明の効果】
【０００６】  帽子の前頭部位置から、左右の孔より留め具を耳辺りで安定し固定する方法、また耳部にかけて装着し、帽子が下を向いても落下しない、風が吹いても飛ばない帽子。【０００７】  留め具を耳部辺りで固定する方法。
または、留め具は耳の上部にメガネをかける要領で安定させることで、夏の暑い日には、汗を掻いてもアゴ紐用リボン、ゴム紐などが触れることなくスッキリ快適である。【０００８】  帽子を深く装着しないように、留め具の両端先部で固定調節ができることから、頭部分には余裕があり、髪形が崩れず、外出先での脱帽することにも気ずかいなく装着ができる。
浮かせて装着することは、通気性もよくなる。
アクセサリ一などで、個性感も楽しめる。
【発明の実施するため最良の形態】
【０００９】  以下、本発明の実施の形態を図１〜図６に基づいて説明する。
【００１０】  図１においては、帽子に、その帽子外側の左右に亘って、弾力性留め具を取り付け、その留め具は孔ｃを通り帽子の内側に入り、孔ｃ位置から遊離して、耳辺りで固定している状態の図である。
【００１１】  図２においては、図１、図２に記載した図１、図２に例示したように、本発明はより強度をもたせるために両耳までの長さを持たせている図である。
【００１２】  図３においては、帽子に、その帽子内側の左右に亘って、補助布ｅを孔ｃまでの位置に施し、帽子とその間に留め具を通し、孔ｃから遊離して、耳辺りに固定している図である。
【００１３】  図４においては、図３に記載したことに、留め具の両端先部を耳に掛けている図である。
【００１４】  図５においては、図１に記載の外側に現れている留め具の位置に取り外しも可能なアクセサリ一を取り付けた場合を現している図である。
【００１５】  図６においては、図２に記載の外側に現れている留め具の位置に取り外しも可能な図５とは異なるアクセサリ一を取り付けた場合を現している図である。
【００１６】  本願は、留め具ａを、帽子の前頭部から左右に、弾力性を有する、湾曲形状の略ｃ形に造って施し、下を見ても落ちない、風が吹いても飛ばされない。
また、夏の暑い日にも、汗を掻いてもリボン状紐、ゴム紐等が顔からアゴ下に触れることなくスッキリする。
帽子の形は、傘型と三角型、多種な帽子を留め具で支えることができることから、深めに着用しなくてもよく、髪形の崩れる心配がいらない。
留め具には、個性的に、アクセサリ一を付け変えて楽しめる。
【図面の簡単な説明】
【００１７】
【図１】  留め具ａは、孔ｃに通し帽子内側に入って耳辺りｄに固定する図。
【図２】  留め具ａは、孔ｃに通し帽子内側に入って耳上部にかけてｄに固定する図。
【図３】  留め具ｂ全体を帽子内側に補助布ｅ内に通し、孔ｃから遊離して、耳辺りに両端先部を平状形ｇの留め具で固定する図。
【図４】  留め具ｂ全体を帽子内側に施し、耳上部にかけて固定する図。
【図５】  図１の留め具ａの部分にアクセサリ一ｆを取り外しできるが、取り付けた場合の図。
【図６】  図２の留め具ｂの部分に図５と異なるアクセサリ一ｆを取り外しできるが、取り付けた場合の図。
【符号の説明】  ａ  留め具
ｂ  帽子内側での留め具の状態
ｃ  孔
ｄ  遊離する留め具
ｅ  補助布
ｆ  アクセサリ一の種々
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
帽子を頭部に固定するための略C形留め具として、帽子の前頭中央部より左右に孔を設け、その孔に留め具を通し、耳、頬辺りで安定し、固定できる長さに延長された留め具に形成されたことを特長とする帽子。
【請求項２】
前記留め具は、帽子外側の前部中央から左右に施した孔を通して、留め具は帽子内側に入り、留め具の両端先部は帽子から遊離し、耳、頬に安定させる構造を施した、請求項１記載した帽子。
【請求項３】
前記留め具は、帽子留め具の内側中央部に、取り付けた補助カバ一との中を通り出て、留め具の両端先部は、帽子から遊離し耳、頬辺りに位置したところに安定させるため、留め具先部を更に延長させ平たく形を曲げて安性を強化することを特長とする請求項1、請求項２記載の帽子。
【請求項４】
帽子に留め具の固定バ一を取り付けて浮かせて装着し、任意の位置に安定でさせ、髪形の崩れを防ぎ、また頭部の蒸れを和らげるようにできるよう形成された請求項1、請求項2、請求こ3記載の帽子。
【手続補正２】
【補正対象書類名】明細書
【補正対象項目名】全文
【補正方法】変更
【補正の内容】
【発明の詳細な説明】
【技術分野】
【０００１】
本発明はアゴ紐がなくても落ちない、飛ばされない帽子に関する。  
【０００２】
この種、従来から風によって飛ばされない、下を見ても落ちない帽子は、即ち、着用する帽子にリボン，ゴム紐、環状に紐を取り付けアゴ下に留めるものである。
本願は、リボン、紐ではなく、留め具によって固定することを特長とする。
文献１においては、装着した際、カチュシャ、ヘヤ一バンド、マジックファスナ一を組み合わせて、かつら、帽子の部分に数箇所に、留め付ける方法であって、かつらを頭部そのものに密着させ離れないように使用することであって、留め方の利用法等も含めて長さ、形、使用目的など全く異なるものである。
【０００３】
また、文献2，３，が存在する。
文献2においては、１枚の三角布の長い方の一辺の中央部から左右にカチュウシャを縫い付けて、布両端を後頭部にて結ぶもので、単に髪、抜け毛を落とさない、薄毛をカバ一すること、等と具体性に乏しい。
【０００４】
文献３においては、帽子の左右孔からファスナ一チェ一ンを通して垂らし、アゴ下にスライダにて調節する従来のもので、本願はアゴ下に取り付けないものであって、全く違ったものである。
【特許文献１】特開１１−２８６８２１
【特許文献２】実用新案登録第３１４５３３５
【特許文献３】特開２０００−５４２２０
【発明の概要】
【発明が解決しようとする課題】
【０００５】
帽子を装着する際、リボンのような紐とかゴム紐をアゴ下にかけて留める方法だが、
夏の暑い日には、いつも紐がアゴ下辺りに触れているため、掻いた汗によって紐が当たっている部分が何となくスッキリしない。
また、帽子はアゴ下位置にゴム、リボン、紐等で結ぶ方法により、安定、固定するが、
帽子は常に頭部を押し付けた状態で装着していることから、髪形は帽子に押しつぶされ崩れる。外出先での脱帽することが必要なときには、装着することに思案することになる。自転車に乗って走っても飛ばさず、アゴ紐のない帽子である。
【課題を解決するための手段】
【０００６】
装着した帽子が落下しない、自転車に乗って走っても風に飛ばされない。また、髪形が崩れないようにするためには、帽子の頭前部中央より左右位置に孔を造り、その左右の孔に留め具を通して、耳、頬辺りの位置に延長した両端先部が固定し留める方法。
この留め具の場合は、夏の暑い日に汗を掻いても、アゴ下に結ぶリボン、またゴム紐のように触れることもなくスッキリする。
弾力性のある留め具で支えて固定するが、極普通の装着法だけでなく、髪形の崩れを考慮するために、帽子を浮いた状態に任意の位置に固定装着し、安定することで頭の頭部分と帽子の頭部分との間に差ができ、髪形が崩れないように保て、また通気性のある帽子。
留め具の両端先部を耳、頬辺りに安定、固定するが、圧迫感、違和感を無くするように、両端先部の延長部分を平状な形にすることで安定感が更に強化できる留め具付帽子。
帽子の前頭部より左右の孔までの帽子の外側に現れている留め具には、種々のアクセサリ一を簡単に取り付け、取り外しができ、おしゃれ感覚も楽しめる留め具付き帽子になる。
【発明の効果】
【０００７】
帽子の前頭部から、中央左右の孔より留め具を通し耳、頬辺りで安定し固定する方法により帽子が下を向いても落下しない、風によって飛ばされない帽子。
【０００８】
留め具を耳、頬辺りで固定する方法。
夏の暑い日には、汗を掻いてもアゴ紐用リボン、ゴム紐などが触れることなくスッキリ快適である。
【０００９】
髪形を崩れないよう保つように帽子を装着するには、帽子が浮くように留め具で固定調節ができることから、頭部と帽子との間には余裕ができ、髪形が保てるこから崩れにくく、外出先で脱帽することにも気遣いなく装着して行ける。また、通気性もある。
留め具にアクセサリ一の取りかえることで個性感も楽しめる。
帽子装着であれば、両手が使え、車から自転車に乗り換える回数が増えることで、微力なりともエコに結びつくことにもなる。
【発明を実施するための形態】
【００１０】
以下、本発明の実施の形態を図１〜図３に基づいて説明する。
【００１１】
図１においては、帽子に、その帽子外側の左右に亘って、弾力性留め具を取り付け、その留め具は孔cを通り帽子の内側に入り、孔c位置から遊離して、耳、頬辺りで固定している状態の図である。
【００１２】
図２においては、帽子に、その帽子の内側の左右に亘って、補助布eを孔cまでの位置に施し、帽子とその間に留め具を通し、孔cから遊離して、耳辺りに固定している図である。
【００１３】
図３においては、図１に記載の外側に現れている留め具の位置に取り外しも可能なアクセサリ一を取り付けた場合を現している図である。
【００１４】
本願は、留め具aを、帽子の前頭部から左右に、弾力性を有する、湾曲形状の略ｃ形に造って形状し、下を見ても落ちない、風が吹いても飛ばされない。
また、夏の暑い日にも、汗を掻いてもリボン状紐、ゴム紐などが顔からアゴ下に触れることなくスッキリする。
帽子の形は、傘型、三角型、多種な帽子を留め具で支えることができることから、深めに着用しなくてもよく、髪形の崩れる心配がいらない。
留め具には、個性的に、アクセサリ一を付け変えて楽しめる。
【図面の簡単な説明】
【００１５】
【図１】留め具aは、孔ｃに通し帽子内側に入って耳辺りｄに固定する図。
【図２】留め具ｂは、帽子内側に補助布e内に通し、孔ｃから遊離して、耳辺りに両端先部を平状形ｇの留め具で固定する図。
【図３】図１の留め具ａの部分にアクセサリ一ｆを取り外しできるが、取り付けた場合の図。
【符号の説明】
【００１６】
a   留め具  
b   帽子内側での留め具の状態
c   孔
d   遊離する留め具
e   補助布
f   アクセサリ一
【手続補正３】
【補正対象書類名】図面
【補正対象項目名】全図
【補正方法】変更
【補正の内容】
【図１】
2010174383.tif 000009
【図２】
2010174383.tif 000010
【図３】
2010174383.tif 000011